(57)【要約】【課題】  手を汚さずに簡単に装着することができ、乾燥時に倒れることもなく、排気風を十分に確保することができる靴乾燥用アタッチメントを提供すること。【解決手段】  二股に分岐した両脚部を設け、それぞれの脚部を一対の靴２１のそれぞれに挿入し、温風発生装置１からの温風を前記脚部内の中空部１４を介して前記靴２１に導入して該靴２１の乾燥を行う靴乾燥用アタッチメント１１であって、前記脚部を、固定脚部１３ａ，１３ｂと、該固定脚部１３ａ、１３ｂに対してその軸方向に自在にスライドするスライド脚部１７ａ、１７ｂとによって構成した。  そして、スライド脚部１７ａ、１７ｂの下部に温風吹き出し口１８ａ，１８ｂを設けた。【選択図】        図１
2005066070.tif 000002
【特許請求の範囲】
【請求項１】
二股に分岐した両脚部を設け、それぞれの脚部を一対の靴のそれぞれに挿入し、温風発生装置からの温風を前記脚部内の中空部を介して前記靴内に導入して該靴の乾燥を行う靴乾燥用アタッチメントであって、
前記脚部を、固定脚部と、該固定脚部に対してその軸方向に自在にスライドするスライド脚部とによって構成したことを特徴とする靴乾燥用アタッチメント。
【請求項２】
スライド脚部の下部に温風吹き出し口を設けたことを特徴とする請求項１記載の靴乾燥用アタッチメント。
【請求項３】
スライド脚部の軸方向に長さ調整を兼た補助温風吹出し穴を設けたことを特徴とする請求項２記載の靴乾燥用アタッチメント。
【請求項４】
スライド脚部を固定脚部の軸方向の所定位置に停止させるストッパーを設けたことを特徴とする請求項１、２、３のいずれかに記載の靴乾燥用アタッチメント。
【請求項５】
スライド脚部の対抗面に互いに突っ張るようにして姿勢安定板を設けたことを特徴とする請求項１、２、３、４のいずれかに記載の靴乾燥用アタッチメント。
【請求項６】
スライド脚部の対抗面をほぼ平面状に構成したことを特徴とする請求項１、２、３、４、５のいずれかに記載の靴乾燥用アタッチメント。
【請求項７】
請求項１〜６のいずれかの靴乾燥用アタッチメントを備えたことを特徴とする靴乾燥装置。
【発明の詳細な説明】
【技術分野】
【０００１】
本発明は、靴乾燥用アタッチメント及びこれを備えた靴乾燥装置に係り、より詳しくは、ロングブーツなどの長靴の場合であっても効率的に乾燥させることができる靴乾燥用アタッチメント及びこれを備えた靴乾燥装置に関する。
【背景技術】
【０００２】
従来の靴様体用乾燥機においては、本体から二股に分割された温風吹き出口に靴をセットして乾燥させていた（例えば、特許文献１参照）。
【０００３】
また、従来の靴乾燥用アタッチメントでは、パイプをロングブーツ状の長靴の中に挿入して長靴を乾燥させていた（例えば、特許文献２参照）。
【０００４】
【特許文献１】実公平６ー２１４３６号公報（第１ー２頁、図１、図２）
【特許文献２】特開２００１ー２７６４９６（第１頁、図１）
【発明の開示】
【発明が解決しようとする課題】
【０００５】
従来の靴様態用乾燥機（特許文献１）によれば、靴を持って本体に装着しなければならないので、靴が汚れている場合は手が汚れてしまうことがあり、また、乾燥機本体を持ち上げて靴にセットしなければならず作業が面倒である。さらに、ブーツなどの長靴の乾燥を行うためには本体が大きくなってしまう。
【０００６】
また、従来の靴乾燥用アタッチメント（特許文献２）によれば、ヒールの高いブーツなどの場合は安定性が悪いため乾燥時に倒れやすく、また、ロングブーツなどの場合は足首部から折れて排気風路が十分に形成されないため、つま先側に吐出された温風が足挿入口から排気されず、十分な乾燥ができなかった。
【０００７】
本発明は上記のような課題を解決するためになされたもので、手を汚さずに簡単に装着することができ、乾燥時に倒れることもなく、排気風路を十分に確保することができる靴乾燥用アタッチメント及びこれを備えた靴乾燥装置を提供することを目的とする。
【課題を解決するための手段】
【０００８】
本発明は、二股に分岐した両脚部を設け、それぞれの脚部を一対の靴のそれぞれに挿入し、温風発生装置からの温風を前記脚部内の中空部を介して前記靴内に導入して該靴の乾燥を行う靴乾燥アタッチメントであって、前記脚部を、固定脚部と、該固定脚部に対してその軸方向に自在にスライドするスライド脚部とによって構成した。
【発明の効果】
【０００９】
本発明に係る靴乾燥用アタッチメント及びこれを備えた靴乾燥装置によれば、手を汚さずに簡単に装着することができ、ロングブーツのような長靴でも乾燥時に倒れることがなく、また、柔らかな生地でできていても排気風路を確保することができ、さらに、乾燥後においても長靴の折れ曲がり防止機としても役立てることができる。
【発明を実施するための最良の形態】
【００１０】
図１は本発明の靴乾燥用アタッチメントを温風発生装置である布団乾燥機本体に接続した状態を示す説明図、
図２は布団乾燥機本体の斜視図、図３は図２の縦断面図、図４は靴乾燥用アタッチメントの分解斜視図、図５は図４の靴乾燥用アタッチメントを組み立てた状態の正面図、図６は図１の要部の縦断面図である。
図において、温風発生装置１を構成する布団乾燥機本体（以下、布団乾燥機本体１と記す）１は本体ケース内部に発熱体３と送風機４からなる温風発生部２を備え、吸込口（図示せず）と排気口５を有している。本体ケースの上部には布団乾燥用のエアマットや蛇腹状のホース６を収納する収納室７を有し、収納室７は開閉可能な収納蓋８によって覆われる。
【００１１】
ホース６は一端に吸入口６ａを有して温風発生部２の排気口５に接続され、他端にフランジ６ｂを備えた吐出口６ｃが設けられて靴乾燥アタッチメント１１に接続されている。
なお、布団乾燥機本体１の前面には、温風発生部２のＯＮ−ＯＦＦを行うタイマー９や温風ー送風モードの切り換えを行う切換えスイッチ１０が設けられている。
【００１２】
靴乾燥用アタッチメント１１は、布団乾燥機本体１のホース６の吐出口６ｃと嵌合する嵌合基部１２と、嵌合基部１２より二股に分岐して固定脚部を構成する第１のパイプ１３ａと第２のパイプ１３ｂからなるパイプ部１３と、第１、第２のパイプ１３ａ、１３ｂの外側面に沿って差し込まれて軸方向にスライドするスライド脚部を構成する第１のスライドパイプ１７ａと第２のスライドパイプ１７ｂからなるスライドパイプ部１７とで構成されている。
【００１３】
嵌合基部１２から二股に分岐した第１、第２のパイプ１３ａ、１３ｂにかけては、内部に中空部１４が設けられ、布団乾燥機本体１のホース６からの空気が中空部１４内を流れるようになっている。そして、第１、第２のパイプ１３ａ、１３ｂの対抗する面１５ａ、１５ｂは平面状に構成されてほぼ平行に配設されており、その下部付近にはスライドパイプ部１７のスライド位置を規制する凸部１６ａ，１６ｂが設けられている。
なお、パイプ部１３の嵌合基部１２には、図６に示すように、抜け防止部１２ａが設けられ、布団乾燥機本体１のホース６の吐出口６ｃのフランジ６ｂと係止して接続できるように構成されている。
【００１４】
第１、第２のスライドパイプ１７ａ，１７ｂは中空に形成されており、その終端部には底面１７ｃ，１７ｄが設けられて塞がれた状態になっている。そして、終端部近傍には第１、第２の温風吹き出口１８ａ、１８ｂが設けられており、その温風吹き出口１８ａ、１８ｂとほぼ同じ面上の軸方向には、一定間隔で脚部長さの調整穴とともに補助温風吹き出口穴を兼ねた複数の第１、第２の穴部１９ａ、１９ｂが設けられている。
そして、二股に分岐した第１、第２のパイプ１３ａ，１３ｂの凸部１６ａ，１６ｂと、これに嵌合してスライドする第１、第２のスライドパイプ１７ａ，１７ｂの第１、第２の穴部１９ａ，１９ｂとにより、ストッパーを構成して、二股の固定脚部の軸方向の長さを調整する。図５は、第１、第２のスライドパイプ１７ａ、１７ｂを第１、第２のパイプ１３ａ、１３ｂの上端部まで挿入した組立状態を示す。
【００１５】
第１、第２のスライドパイプ１７ａ，１７ｂの対抗する面２０ａ，２０ｂは、第１、第２のパイプ１３ａ、１３ｂの対抗する面１５ａ，１５ｂに対応して平面状に構成され、内側の面を平らにすることによって接続性を保持するようにしてある。そして、面２０ａ，２０ｂには、第１、第２のスライドパイプ１７ａ、１７ｂをパイプ１３の第１、第２のパイプ１３ａ，１３ｂに嵌合したときに互いに突っ張るように、面２０ａ，２０ｂの終端部に基部を有し、湾曲して軸方向に延設された弾性を有する第１、第２の姿勢安定板２０ｃ、２０ｄが設けられている。
【００１６】
上記のように構成した本発明の作用を説明する。ブーツ２１の長さに合わせて、靴乾燥用アタッチメント１１の二股に分岐した第１、第２のパイプ１３ａ、１３ｂに対して、第１、第２のスライドパイプ１７ａ、１７ｂを嵌合してスライドさせる。そして、第１、第２のパイプ１３ａ，１３ｂの凸部１６ａ，１６ｂに、第１、第２のスライドパイプ１７ａ，１７ｂの第１、第２の穴部１９ａ，１９ｂのいずれかを嵌合させて、二股のパイプ部１３の軸方向の長さを乾燥するブーツ２１の長さに対応して調整する。そして、図１に示すように、靴乾燥アタッチメント１１のそれぞれの脚部を左右のブーツ２１の開口部２１ａから挿入すると、図８に示すように、ブーツ２１の内側部が第１、第２のスライドパイプ１７ａ、１７ｂの姿勢安定板２０ｃ、２０ｄによって強制的に挟み込まれ、互いに寄り添いあって支え合う。
【００１７】
この状態で、布団乾燥機本体１のホース６を伸ばし、その吐出口６ｃを靴乾燥用アタッチメント１１の嵌合基部１２に嵌合させ、図６に示すように、嵌合基部１２に設けた抜け防止１２ａをホース６の吐出口６ｃのフランジ６ｂに係止させる。
そして、ブーツ２１の素材に合わせて布団乾燥機本体１の切換えスイッチ１０を温風または送風モードにセットし、タイマー９を回して布団乾燥機本体１の運転を開始し、ブーツ２１を乾燥させる。
【００１８】
靴乾燥用アタッチメント１１の温風吹き出口１８ａ、１８ｂから吐出された温風は、図７、図８に示すように、ブーツ２１のつま先側イ方向に向けて流動し、靴底などの湿気を吸い込んだ後、ロ方向に流れてブーツ２１の開口部２１ａへと流動する。その際、温風は開口部２１に近づくにつれて外気によって冷却されるが、長さ調整を兼ねた補助温風吹き出し用の第１、第２の穴部１９ａ，１９ｂから乾燥空気を吐出させて、温度を下げずに湿度を押さえる。
【００１９】
以上の説明から明らかなように、本発明によれば、左右のブーツ２１はその内側部が左右のスライドパイプ１７ａ，１７ｂの姿勢安定板２０ｃ，２０ｄによって強制的に挟み込まれ、互いに寄り添いあって支え合うため、ヒールの高いブーツ２１等の長靴の場合であっても自立させることができ、安定した乾燥姿勢を保持できる。
【００２０】
また、姿勢安定板２０ｄ，２０ｂは左右のブーツ２１の足首部を挟み込んで矯正するため、長年使用したブーツ２１や、スウェード地のようにもともと足首部が柔らかいものでも、縦筒部２１ｂの自重で足首部が座屈して排気風が塞がれることがなく、十分に乾燥することができる。
【００２１】
さらに、温風吹き出口１８ａ，１８ｂから吐出された温風は湿気を吸い込んでブーツ２１の開口部２１ａへと移動し、その際、開口部２１ａに近づくにつれて外気に冷却されるが、長さ調整兼補助温風吹き出しを行う穴部１９ａ、１９ｂが設けらてここから乾燥空気を吐出するので、温度を下げずにかつ湿度を押さえることができ、こうして、ブーツ２１の縦筒部２１ｂの内面に結露することなく外部に放出される。
【００２２】
上記の説明では、本発明により長靴を乾燥する場合について述べたが、スライドパイプ１７ａ，１７ｂの長さを調整することにより、短靴の乾燥にも適用することができる。
また、上記の説明では、温風発生装置として、布団乾燥機を用いた場合を示したが、他の温風発生装置を使用してもよい。
【図面の簡単な説明】
【００２３】
【図１】本発明の靴乾燥用アタッチメントを布団乾燥機本体に接続した状態を示す説明図である。
【図２】図１の布団乾燥機本体の斜視図である。
【図３】図２の縦断面図である。
【図４】図１の靴乾燥用アタッチメントの分解斜視図である
【図５】図４の靴乾燥用アタッチメントを組み立てた状態の正面図である。
【図６】図１の要部を拡大した縦断面図である。
【図７】図１の作用説明図である。
【図８】図７のＡ−Ａ断面図である。
【符号の説明】
【００２４】
１  温風発生装置（布団乾燥機本体）、１１  靴乾燥用アタッチメント、１３ａ、１３ｂ  固定脚部、１４  中空部、１６ａ，１６ｂ，１９ａ、１９ｂ  ストッパー、１７ａ，１７ｂ  スライド脚部，１８ａ，１８ｂ  温風吹き出し口、２０ａ，２０ｂ  平面部、２０ｃ，２０ｄ  姿勢安定板、２１  靴
【図１】
2005066070.tif 000003
【図２】
2005066070.tif 000004
【図３】
2005066070.tif 000005
【図４】
2005066070.tif 000006
【図５】
2005066070.tif 000007
【図６】
2005066070.tif 000008
【図７】
2005066070.tif 000009
【図８】
2005066070.tif 000010